(57)【特許請求の範囲】
【請求項１】
係合穴を複数縦列配備した柱本体に、柱本体の表面を覆い且つ係合穴に連通するスリットを設けると共に、スリットに対応して横ゆれ防止用挟み部を設けたカバー体を備える棚柱と、棚本体の要部にブラケット収納ケースを設け、このブラケット収納ケース内に固定される平板状ブラケットの掛止片を外方へ突出させた棚板とからなり、
前記カバー体は、柱本体の表面を覆う左右一対の平板状本体の一端に、柱本体の係合受け部に係脱する係合部を設けると共に、他端に柱本体の立上り板に対応する対面板部を設け、この対面板部の外面に立上り板の係合受け部に係脱する係合部を設けて、一対の平板状本体の突合せ面にスリットを開設したことを特徴とするコーナー棚装置。
【請求項２】
前記対面板部の内面にスリットに対応し、且つ係合穴の出入り間口を狭める幅狭の横ゆれ防止用挟み部を膨出形成したことを特徴とする請求項１記載のコーナー棚装置。
【発明の詳細な説明】
【技術分野】
【０００１】
この発明は、コーナー棚装置に関する。
【背景技術】
【０００２】
図９は、従来のコーナー棚装置を示す分離斜視図である。
このコーナー棚装置は、一定厚みを有する方形棚板８１と、角筒状棚柱８２とから成る。角筒状棚柱８２は、一隅を直角に凹ませ、この凹部８３に複数の係合穴８４を縦列配備している。
【０００３】
一方、方形棚板８１の２辺には、それぞれ断面Ｌ字状のブラケット８５，８５を接面固定している。直角に対向する一対のブラケット８５、８５の突出先端面８６ａ、８６ａを重ね合わせて一枚の薄板状係合爪８６とし、方形棚板８１の角から突設させている。
【０００４】
このコーナー棚装置の角筒状棚柱８２は、凹部８３を臨出させた状態で、壁面Ｃに沿ったパネル８７、８７のコーナーに組み込まれる。パネル８７、８７のコーナー、すなわち前方を開口した凹部８３の係合穴８４に対し、係合爪８６を掛止して方形棚板８１をパネル（角筒状棚柱８２）８７に固定する。
【０００５】
また、方形棚板８１の他の２辺（ブラケットを接着しない辺）には、平板状の鍔板８８を突設している。この鍔板８８に、方形棚板８１の両側に位置するパネル８７に沿った長方形棚板８９の端部８９ａを載架し支承する。
【特許文献１】特開２００６−１５８６９８号公報
【発明の開示】
【発明が解決しようとする課題】
【０００６】
上記コーナー棚装置では、角筒状棚柱はパネルのコーナー部に組み込まれる。
従って、この棚柱を壁面のコーナーに直に立設すると、掛止する方形棚板の両側辺はパネル厚み分、壁面から離れ、固定しないでぐらぐらする不利がある。
【０００７】
また、このコーナー棚装置では、角筒状棚柱の一隅を直角状に僅かに凹ませ、この凹部に係合穴を設けている。従って、係合穴は外観でき、陳列棚として美観上の問題があり用途が限られる。
【０００８】
更に、このコーナー棚装置では凹部の前方が直角状に開放した状態にある。従って、係合穴に対し嵌入する薄板状係合爪が左右方向へがたつき、横ゆれや音なりがする許かりでなく、方形棚板が一層、ぐらぐらし定まらない。
【０００９】
更に、方形棚板の２辺に対し一対のブラケットを外付けするため、見栄えが悪く陳列体裁を損なう許かりでなく、ブラケットの固定が可能な方形棚板（の材質）に限定されるなどの不利がある。
【００１０】
この発明は、以上のような課題を解消させ、ブラケットの掛止片と係合穴との係合が確実でガタツキなく強固に固定し得、棚板資材の選択に制限がなく、陳列棚として外観体裁が良好な許かりでなく、耐荷重性に優れ且つ棚板の取り付け、取り外しが極めて簡易なコーナー棚装置を提供することを目的とする。
【課題を解決するための手段】
【００１１】
この目的を達成させるために、この発明のコーナー棚装置では、次のような構成としている。
コーナー棚装置は、係合穴を複数縦列配備した柱本体に、柱本体の表面を覆い且つ係合穴に連通するスリットを設けると共に、スリットに対応して幅狭の横ゆれ防止用挟み部を設けたカバー体を備える棚柱と、棚本体の要部にブラケット収納ケースを設け、このブラケット収納ケース内に固定される平板状ブラケットの掛止片を外方へ突出させた棚板とから成ることを特徴としている。
【発明の効果】
【００１２】
このような構成を有するコーナー棚装置では、係合穴を備える柱本体に、柱本体の表面を覆い且つ係合穴に連通するスリットを設けると共に、スリットに対応して横ゆれ防止用挟み部を設けたカバー体を備える棚柱と、棚本体のブラケット収納ケース内に固定される平板状ブラケットの掛止片を外方へ突出させた棚板とから構成することとしたから、柱本体の表面を覆うカバー体によって係合穴は外観しずらく、陳列棚として外観体裁が良い。
【００１３】
また、係合穴に係合する掛止片は、カバー体の横ゆれ防止用挟み部で挟着されるから、掛止片と係合穴との掛止が確実でガタツキがなく、横ゆれ、音なりが軽減される結果、棚板が安定固定する。
【００１４】
更に、平板状ブラケットは棚本体の要部のブラケット収納ケース内に固定したから、棚本体の資材は例えばガラス板であっても使用できるなど、資材の選択が自由となり、陳列棚として意匠効果を向上させ得る。
【００１５】
また、棚板が樹脂製であっても平板状ブラケットと柱本体は共に強固な金属製であるから、耐荷重性に優れ且つ棚板の取り付け、取り外しが極めて簡易に実行し得る等、発明目的を達成した優れた効果を有する。
【発明を実施するための最良の形態】
【００１６】
以下、図面に基づき本発明に係るコーナー棚装置の具体的な実施の形態を説明する。
図１は、コーナー棚装置の分離斜視図である。
コーナー棚装置は、柱本体１とカバー体２とから成る棚柱Ａと、この棚柱Ａに取付られる棚板Ｂとで構成される。
【００１７】
棚柱Ａは、例えばアルミ押出し材の柱本体１と、例えば樹脂押出し材のカバー体２とから成る。
柱本体１は、図２で示すように、短冊状の平板部１１の左右両辺に内向きに４５度傾斜する傾斜面１３、１４を連続させている。この傾斜面１３、１４には、壁面Ｃへの取付け用ビス１３ｃの穴１３ａ、１４ａを開設している。更に、傾斜面１３、１４の先端縁には湾曲状の係合受け部１３ｂ、１４ｂを設けている。
【００１８】
短冊状平板部２１の面内には、一定間隔を開いて多数の係合穴１２が開設してある。係合穴１２は、例えば稜角をなくした斜方形状で、縦長で横幅の短い孔に設定している。
【００１９】
また、平板部１１の内面には、係合穴１２を挟んだ両側に対向する立上り板１６、１７を設け、立上り板１６、１７の基部（平板部１１寄り）に、湾曲状の係合受け部１６ａ、１７ａを設けている。
【００２０】
更に、この平板部１１の外面には、一定間隔開いて対向する壁突き当て板１５、１５を突設し、壁付き当て板１５の先端はコーナー壁面Ｃに接面する外向き傾斜面１５ａに設定してある（図３参照）。
【００２１】
前記カバー体２は、図２及び図３で示すように、柱本体１の表面を覆う左右一対の対称をなす平板状本体２１、２１ａで構成され、一対の平板状本体２１、２１ａの突合せ面に細幅のスリット３が設定される。
【００２２】
平板状本体２１（２１ａ）には、それぞれの一端に設けた係合部２２（２２ａ）と、他端に設けた直角状に折り曲げた対面板部２３（２３ａ）と、対面板部２３（２３ａ）先端に設けた内向きの係合部２４（２４ａ）と外向きの横ゆれ防止用挟み部２５（２５ａ）とを備える。
【００２３】
この幅狭の横ゆれ防止用挟み部２５、２５ａの対向間隔は、図３で示すように、スリット３幅よりやや狭く、且つ図７で示すように係合穴１２の最大横幅よりも小さく設定して間口を狭め、後述する掛止片（ブラケット６の先端部）６５を挟着し、左右への横ぶれを阻止する。
【００２４】
図３で示すように、上記係合部２２（２２ａ）は、柱本体１の係合受け部１３ｂ（１４ｂ）に係合し、対面板部２３（２３ａ）の係合部２４（２４ａ）が立上り板１６、１７の係合受け部１６ａ（１７ａ）に係合する。この係合状態において、平板状本体２１、２１ａの突合せ面に後述するブラケット６先端厚みよりやや幅広のスリット３が開く。
【００２５】
図４は、上記棚板Ｂを示す斜視図である。棚板Ｂは、平板扇状の棚本体４と、棚本体４の要部４２に配備するブラケット収納ケース５と、ブラケット収納ケース内に固定される平板状ブラケット６とから構成する。
【００２６】
棚本体４は、例えばガラス板或いは樹脂の一体成型品で、面内の複数のリブ４１と、棚本体４の弧両端と要部４２を結ぶ両枠体部４３、４３とから成る。両枠体部４３の外面には壁面Ｃに接するスポンジ状緩衝部４４が突設してある。
【００２７】
上記要部４２には、ブラケット収納ケース５を配備し、このブラケット収納ケース５から平板状ブラケット６の掛止片６５、６６と下方のガイド兼保持部６７を外方へ突設している。
【００２８】
図５は、要部４２とブラケット収納ケース５と、平板状ブラケット６との関係を示す説明図である。
要部４２は、平面形状が半楕円形で上面、底面、正面を開口した中空筒４２ａで、内部には長軸状の補強リブ４２ｃと、短軸状の仕切板４２ｄとを備え、仕切板４２ｄの前方を正面開口４２ｂとしている。また、中空筒４２ａの開口底面は、後述する底蓋４２ｅで閉じられる。
【００２９】
前記ブラケット収納ケース５は、上記正面開口４２ｂの幅中央に、仕切板４２ｄを背面として設けた中空角筒体で、両側板５１、５１と正面板５２とからなる。正面板５２には掛止片臨出用の切込み５３を開設し、仕切板４２ｄには切込み５３に対向する縦状溝部５５を設けている。
【００３０】
更に、両側板５１、５１間には、短冊状の天板５４を掛け渡し状に設け、この天板５４と正面板５２との対向空間を嵌合受け部５６、天板５４と仕切板４２ｄとの対向空間を嵌合受け部５７としている。
【００３１】
上記平板状ブラケット６は、金属製の矩形平板６１で、平板６１の上辺には食い違い方向へ直角に折り曲げた折曲片６３ａ、６３ｂを設けると共に、一側辺６２には略Ｌ字状の掛止片６５、６６と、下方の湾曲板状のガイド兼保持部６７とを突設している。また、下辺６４には底蓋４２ｅの嵌合凸部４２ｆに嵌着する凹み部６４ａを設けている。
【００３２】
上記底蓋４２ｅは、中空筒４２ａの正面開口４２ｂの底面４２ｈを閉じる蓋板で、面内中央に嵌合凸部４２ｆを設け、側辺には中空筒４２ａの正面開口４２ｂの下部に外付け接着固定する側板４２ｇを設けている（図８参照）。
【００３３】
図６で示すように、ブラケット収納ケース５の切込み５３にブラケット（平板６１）６を下側から挿し込む。切込み５３から掛止片６５、６６とガイド兼保持部６７が外方へ突出した状態で、他側辺（挿込部６２ｂ）６２ａが縦溝部５５に嵌入し、且つ折曲片６３ａが嵌合部５７に、折曲片６３ｂが嵌合部５６に嵌着する。そして、底蓋４２ｅで底開口４２ｈが閉じられ、ブラケット６は収納ケース５内に完全固定される。
【００３４】
このような構成を有するコーナー棚装置では、図３で示すように、柱本体１をコーナー壁面Ｃにビス１３ｃ止着される。柱本体１の表面（正面）は、カバー体（一対の平板状本体２１、２１ａ）２で覆われ、壁面止着用ビス１３ｃが目隠しされると共に、スリット３とスリット３より奥まった位置にある係合穴１２が外観しずらい状態で連通させてある。
【００３５】
図７は、掛止片６５、６６、６７と係合穴１２と、横ゆれ防止用挟み部２５（２５ａ）との係合関係を示す拡大説明である。
図１に示すように、棚板Ｂ（棚本体４）のブラケット６の先端、つまり掛止片６５、６６とガイド兼保持部６７をスリット３に挿入する。
【００３６】
掛止片６５、６６及びガイド兼保持部６７が、対応する係合穴１２、１２、１２を通過する際、ガイド兼保持部６７の湾曲板の下曲面が係合穴１２下端１２ａに接面し、下曲面が係合穴の下端１２ａにそって下降し、掛止片６５、６６がスムーズに係合穴１２、１２を通過する。そして、掛止片６５、６６の基部６５ｂが、係合穴１２の下端１２ａに係合して引っ掛かり係止する。
【００３７】
この状態において、ブラケット６の先端部、つまり掛止片６５、６６とガイド兼保持部６７は、幅狭の横ゆれ防止用挟み部２５（２５ａ）に挟着される。従って、掛止片６５、６６とガイド兼保持部６７の３段で係合穴１２に強固に掛止し、且つ掛止片６５、６６とガイド兼保持部６７が横ゆれ防止用挟み部２５とスリット３とで挟着され、上下、左右への揺れ、音なりが阻止される。
【図面の簡単な説明】
【００３８】
【図１】実施の形態のコーナー棚装置を示す分離斜視図である。
【図２】柱本体とカバー体の関係を示す斜視図である。
【図３】棚柱を示す断面図である。
【図４】棚板を示す斜視図である。
【図５】要部のブラケット収納ケースとブラケットとの関係を示す分離斜視図である。
【図６】ブラケット収納ケースにブラケットを収納した状態を示す要部拡大説明図である。
【図７】係合穴と掛止片との係合状態を示す要部拡大説明図である。
【図８】実施の形態のコーナー棚装置を示す斜視図である。
【図９】従来のコーナー棚装置を示す斜視図である。
【符号の説明】
【００３９】
Ａ      棚柱    
Ｂ      棚板    
Ｃ      コーナー壁面
１      柱本体
２      カバー体
３      スリット
４      棚本体
５      ブラケット収納ケース
６      平板状ブラケット
１２    係合穴
１３    傾斜板部  
１６    立上り板
２１    平板状本体  
２３    対面板部
２５    横ゆれ防止用挟み部
４２    要部
５３    切込み
６１    矩形平板  
【図１】
0005835571.tif 000002
【図２】
0005835571.tif 000003
【図３】
0005835571.tif 000004
【図４】
0005835571.tif 000005
【図５】
0005835571.tif 000006
【図６】
0005835571.tif 000007
【図７】
0005835571.tif 000008
【図８】
0005835571.tif 000009
【図９】
0005835571.tif 000010